(57)【特許請求の範囲】
【請求項１】
信号を伝送する信号線と前記信号へのノイズの影響を防止するために前記信号線と平行に配線されたグランド線とを有し、前記信号線と前記グランド線がコネクタ基板で両端を終端されている信号伝送ケーブルであって、
前記コネクタ基板の位置を除く前記グランド線の任意の位置に、そのグランド線と電気的に接続するためのビアを有するグランド層が形成された中間基板を備えていることを特徴とする信号伝送ケーブル。
【請求項２】
前記信号伝送ケーブルはフレキシブルケーブルであって、そのフレキシブルケーブルの中間位置付近に前記中間基板が設けられ、その中間基板に形成されたグランド層のビアと前記グランド線とが電気的に接続されていることを特徴とする請求項１記載の信号伝送ケーブル。
【請求項３】
前記フレキシブルケーブルは厚み方向に束ねて多層で構成され、前記中間基板に形成されたグランド層のビアは多層で構成された前記フレキシブルケーブルのそれぞれのグランド線と一体的に接続されていることを特徴とする請求項２記載の信号伝送ケーブル。
【請求項４】
前記中間基板は多層基板で構成され、前記グランド層は前記多層基板の１層以上で形成されていることを特徴とする請求項１、２、又は３記載の信号伝送ケーブル。
【請求項５】
前記中間基板は多層基板で構成され、前記グランド層は前記多層基板の全ての層で形成されていることを特徴とする請求項１、２、又は３記載の信号伝送ケーブル。
【請求項６】
前記中間基板には電気部品が実装されていることを特徴とする請求項４、又は５記載の信号伝送ケーブル。
【請求項７】
前記電気部品は、前記信号線を伝送する信号に対してノイズ対策を行う電気部品であることを特徴とする請求項６記載の信号伝送ケーブル。
【請求項８】
前記電気部品は、前記グランド層をグランドに接続するための中継端子となる導電体部品であることを特徴とする請求項６記載の信号伝送ケーブル。
【請求項９】
前記フレキシブルケーブルは、２つの筐体部分を折り畳む折畳型携帯電話、又は、２つの筐体部分をスライドさせるスライド型携帯電話に用いられることを特徴とする請求項２又は３記載の信号伝送ケーブル。
【請求項１０】
信号を伝送する信号線と前記信号へのノイズの影響を防止するために前記信号線と平行に配線されたグランド線とを有し、前記信号線と前記グランド線がコネクタ基板で両端を終端されている信号伝送ケーブルのグランド接続方法であって、
前記コネクタ基板の位置を除く前記グランド線の任意の位置に中間基板を設け、その中間基板に形成されたグランド層のビアと前記グランド線とを電気的に接続することを特徴とする信号伝送ケーブルのグランド接続方法。
【発明の詳細な説明】
【技術分野】
【０００１】
この発明は、基板相互間のインタフェースとなる信号伝送ケーブル、及び信号伝送ケーブルのグランド接続方法に係り、特に、フレキシブルケーブルを用いて基板相互間で制御信号を伝送するための信号伝送ケーブル、及び信号伝送ケーブルのグランド接続方法に関する。
【背景技術】
【０００２】
複数の基板の相互間を伝送する制御信号を接続するインタフェースとしては、フレキシブルケーブルによる信号伝送ケーブルが一般的となっている。特に、２つの筐体部分を折り畳む折畳型携帯電話や、２つの筐体部分をスライドさせるスライド型携帯電話などにおいては、液晶画面側筐体とキー側筐体との間の信号系統を接続する場合には、信号伝送ケーブルとして複数枚のフレキシブルケーブルを一束に重ねて用いている例が多く見受けられる。すなわち、携帯電話を薄型化したり、携帯電話の筐体間の可動部分を電気的に接続するための信号伝送ケーブルとしては、フレキシブルケーブルは必要不可欠な存在である。
【０００３】
図４は、４層構成のフレキシブルケーブルからなる、関連技術としての信号伝送ケーブルの側面図である。図４に示すように、信号伝送ケーブル２１は、４枚のフレキシブルケーブルを重ねて一束に束ねた４層構成のフレキシブルケーブル２２の両端が、それぞれ、コネクタ基板２３とコネクタ基板２４とによって終端されている。そして、各層のフレキシブルケーブル２２は、コネクタ基板２３及びコネクタ基板２４の部分でそれぞれの層とビア（スルーホールメッキ穴）によって電気的に接続をとることができる。
【０００４】
図５は、図４に示す４層のフレキシブルケーブルからなる信号伝送ケーブルの構成図であり、（ａ）はフレキシブルケーブルの１層分の構成を示す平面図、（ｂ）は（ａ）で示した構成と同じ構成が４層分重なっている状態を示す断面図である。すなわち、図５（ａ）に示すように、フレキシブルケーブル２２は、４本の信号線２５の両側にグランド線２６、２７が配線され、各信号線２５及びにグランド線２６、２７の両端がコネクタ基板２３及びコネクタ基板２４に接続されている。そして、コネクタ基板２３内において、グランド線２６のＤ点とグランド線２７のＡ点とが接続されて、グランドＥに接地されている。また、コネクタ基板２４内においても、同様に、グランド線２６のＦ点とグランド線２７のＣ点とが接続されて、グランドＥに接地されている。このような構成は、フレキシブルケーブル２２の４層分とも同じようになっている。
【０００５】
また、図５（ｂ）の４層のフレキシブルケーブル２２の断面図に示すように、コネクタ基板２３内において、信号線２５（図示せず）の両サイドのグランド線２６，２７が４層分に亘ってビア２８で接続され、グランドＥに接地されている。同様にして、コネクタ基板２４内においても、信号線２５（図示せず）の両サイドのグランド線２６，２７が４層分に亘ってビア２８で接続され、グランドＥに接地されている。このようにして、各層のフレキシブルケーブル２２において、両サイドに配線されたグランド線２６、２７によって信号線２５の電波遮蔽を行っている。これにより、外部からの輻射電波に影響されて信号線２５にノイズ妨害が生じることのないようにしたり、信号線２５を伝送する制御信号が輻射電波として外部に漏れたりすることのないようにすることができる。なお、この状態では、グランド線２６の途中のＥ点、及びグランド線２７の途中のＢ点においては、各層同士のグランド線は接続されていない。
【０００６】
図６は、図４に示すフレキシブルケーブルを折畳型携帯電話に適用したときの概念図である。すなわち、図６に示すように、複数本の信号線とその両サイドの２本のグランド線とで構成されるフレキシブルケーブル２２が４層一束に重ねられ、コネクタ基板２３、２４を介して液晶画面側基板３１とキー側基板３２とに接続されている。このとき、折畳型携帯電話の液晶画面側基板３１とキー側基板３２をフレキシブルケーブル２２で接続する場合は、液晶画面側基板３１の端部とキー側基板３２の端部にコネクタ基板２３，２４を設けてフレキシブルケーブル２２を短くすれば、輻射電波によるノイズの影響を軽減することができる。しかし、折畳型携帯電話を折り畳むためにはフレキシブルケーブル２２を長くしなければならないし、また、機構的な制約等によって、液晶画面側基板３１の端部やキー側基板３２の端部にコネクタ基板２３、２４を設けることができない場合がある。
【０００７】
例えば、図６に示すように、コネクタ基板２４はキー側基板３２の基板端に設けられているが、コネクタ基板２３は、液晶画面側基板３１の中間部分に設けなければならない場合がある。このような場合はフレキシブルケーブル２２が長くなる。このようにフレキシブルケーブル２２が長くなると、そのフレキシブルケーブル２２の信号線を伝送する制御信号がノイズ輻射の影響を受けやすくなり、結果的に、折畳型携帯電話の無線特性を劣化させる要因となる。
【０００８】
すなわち、図５に示すように、コネクタ基板２３とコネクタ基板２４の中間部分では各層同士の電気的な接続をとることはできない。これにより、硬質の多層基板と比較すると、フレキシブルケーブル２２が長くなるために、高速信号やクロック信号などを伝送するフレキシブルケーブル２２の信号線から発生するノイズの輻射が増加してしまう。
【０００９】
言い換えると、高速信号やクロック信号を伝送する信号線と平行にグランド線を配線することによってノイズの輻射や信号線同士の干渉を抑制しているが、他の信号線などの制約により、幅の細いグランドパターン（グランド線）しか形成できない場合がある。このような細いグランドパターンの場合はそのグランドパターンの配線インピーダンスが高くなるため、ノイズ輻射の抑制効果が少なくなってしまう。ここで、硬質の多層基板であれば、このような細いグランドパターンであっても、上下の基板層のグランドパターンをビアによって電気的な接続を行うことにより、単独の細いグランドバターンの配線インピーダンスを低くすることが可能となるので、ノイズ輻射の影響を抑制することができる。
【００１０】
しかし、上下層同士の接続を行うことができない多層構成のフレキシブルケーブルでは、ビアによって上下層のグランドパターンを電気的に接続することができないため、ノイズ輻射による無線特性への悪影響が発生してしまう。特に、コネクタ基板２３とコネクタ基板２４との間の距離が長くなる場合、グランド線２６，２７のグランドインピーダンスが高くなって無線特性への悪影響が発生しやすくなる。すなわち、携帯電話の薄型化への貢献や可動部分における電気的な接続手段としてフレキシブルケーブルは必要不可欠な存在であるが、電気的特性の観点、特に、高周波信号を伝送する場合の電気的特性の観点から考えた場合には、グランドインピーダンスを低くして、安定したグランドレベルを確保できるような設計を行わないと、ノイズの輻射による無線特性の劣化が発生する。そのため、なんらかの対策手段を用いてフレキシブルケーブル２２のグランドインピーダンスを低くする必要がある。
【００１１】
そこで、スライド型携帯電話の上下筐体の回路基板間を接続するフレキシブルケーブルのほぼ中間部分のグランドパターンを接地することにより、グランドインピーダンスを低くする技術が開示されている（例えば、特許文献１参照）。この技術によれば、複数の信号線の両側のグランド線のほぼ中間部分に、電気的に露出したグランド接地部を設ける。一方、下筐体の回路基板におけるグランド層の所定位置に導電性クッションを設ける。これによって、上筐体と下筐体が所定の長さまでスライドされると、グランド線のグランド接地部が下筐体の導電性クッションに電気的に接続される。したがって、フレキシブルケーブルの中間部分のグランド線が導電性クッションを介して接地され、グランド線のグランドインピーダンスを下げて無線特性を良好にすることができる。
【先行技術文献】
【特許文献】
【００１２】
【特許文献１】特開２００６−０９３９９８号公報
【発明の概要】
【発明が解決しようとする課題】
【００１３】
しかしながら、上記特許文献１の技術は、フレキシブルケーブルにおけるグランド線のグランド接続部が露出されていて、スライド型携帯電話の上筐体と下筐体がスライドするたびにグランド線のグランド接続部と下筐体の導電性クッションとが摺動を繰り返す。これによって、摺動の繰り返しにより摺動部分が劣化し、グランド接続部と導電性クッションとの間に接触不良が生じて、フレキシブルケーブルのグランド線に良好な接地状態が得られないことがある。
【００１４】
この発明は、上述の事情に鑑みてなされたものであり、信号線に流れる制御信号の無線特性を安定化させるために、その信号線と平行して配線されるグランド線に安定した低グランドレベルを確保することができる信号伝送ケーブル、及び信号伝送ケーブルのグランド接続方を提供することを目的としている。
【課題を解決するための手段】
【００１５】
上記目的を達成するために、この発明の第１の構成は、信号を伝送する信号線と前記信号へのノイズの影響を防止するために前記信号線と平行に配線されたグランド線とを有し、前記信号線と前記グランド線がコネクタ基板で両端を終端されている信号伝送ケーブルであって、前記コネクタ基板の位置を除く前記グランド線の任意の位置に、そのグランド線と電気的に接続するためのビアを有するグランド層が形成された中間基板を備えてなることを特徴としている。
【００１６】
この発明の第２の構成は、信号を伝送する信号線と前記信号へのノイズの影響を防止するために前記信号線と平行に配線されたグランド線とを有し、前記信号線と前記グランド線がコネクタ基板で両端を終端されている信号伝送ケーブルのグランド接続方法であって、前記コネクタ基板の位置を除く前記グランド線の任意の位置に中間基板を設け、その中間基板に形成されたグランド層のビアと前記グランド線とを電気的に接続する信号伝送ケーブルのグランド接続方法を有してなることを特徴としている。
【発明の効果】
【００１７】
この発明の構成によれば、フレキシブルケーブルの長さ方向の任意の位置に中間基板を設け、その中間基板のグランド層とフレキシブルケーブルのグランド線とを接続することにより、フレキシブルケーブルのグランド線のグランドインピーダンスを下げることができる。例えば、中間基板をフレキシブルケーブルの中央位置に設けて、中間基板のグランド層とフレキシブルケーブルのグランド線とを接続すれば、電気的なグランドインピーダンスを、フレキシブルケーブルの全長に相当する配線インピーダンスの半分にすることができる。これによって、フレキシブルケーブルの信号線を伝送する高速信号やクロック信号に対してノイズの輻射が抑えられる。その結果、フレキシブルケーブルの無線特性の劣化を回避したり、効果的なＥＭＣ（Electro Magnetic Compatibility：電磁環境適合性）対策を行って、ノイズ対策を実施することができる。
【図面の簡単な説明】
【００１８】
【図１】この発明の実施形態１である信号伝送ケーブルの構成を示す側面図である。
【図２】同信号伝送ケーブルの構成を示す構成図であり、（ａ）は同信号伝送ケーブルの平面図、（ｂ）は同信号伝送ケーブルの断面図である。
【図３】同信号伝送ケーブルを折畳型携帯電話に適用したときの概念図である。
【図４】４層構成のフレキシブルケーブルからなる、関連技術としての信号伝送ケーブルの側面図である。
【図５】同関連技術の信号伝送ケーブルの構成図であり、（ａ）は同関連技術の信号伝送ケーブルの平面図、（ｂ）は同関連技術の信号伝送ケーブルの断面図である。
【図６】同関連技術の信号伝送ケーブルを折畳型携帯電話に適用したときの概念図である。
【発明を実施するための形態】
【００１９】
この発明は、複数枚のフレキシブルケーブルを重ねて基板相互間で信号線及びグランド線を接続する構成のインタフェースにおいて、フレキシブルケーブルのほぼ中間部分に中間基板を設けてグランド層を形成している。そして、そのグランド層にビアを形成し、そのビアを介して中間基板のグランド層を各フレキシブルケーブルのグランド線に接続している。これによって、各フレキシブルケーブルのグランド線のグランドインピーダンスを低くすることができるので、各フレキシブルケーブルの信号線に流れる制御信号の無線特性を安定化させることができる。以下、図面を参照して、この発明の実施形態について詳細に説明する。
【実施形態１】
【００２０】
図１は、この発明の実施形態である信号伝送ケーブルを示す側面図である。図１に示すように、信号伝送ケーブル１は、コネクタ基板３とコネクタ基板４を終端する４層構成のフレキシブルケーブル２の間に、コネクタ基板３，４と同様の多層基板からなる中間基板５を設けた構成となっている。信号伝送ケーブル１をこのような構成にすることにより、中間基板５にグランド層を設けてビアを形成することが可能になる。したがって、中間基板５のグランド層のビアと各層のフレキシブルケーブル２のグランド線とを電気的に接続することにより、フレキシブルケーブル２を構成する各層のグランド線のグランドインピーダンスを低くすることが可能となる。
【００２１】
図２は、４層のフレキシブルケーブルからなる信号伝送ケーブル１の構成を示す構成図であり、（ａ）は最上層又は最下層のフレキシブルケーブルの構成を示す平面図、（ｂ）はフレキシブルケーブルが４層分重なっている状態を示す断面図である。図２（ａ）に示すように、信号伝送ケーブル１は、４本の信号線６の両サイドにグランド線７、８が配線され、各信号線６及びにグランド線７、８の両端がコネクタ基板３及びコネクタ基板４に接続されている。
【００２２】
さらに、この実施形態の信号伝送ケーブル１は、フレキシブルケーブル２の中間位置の近傍に中間基板５が設けられ、この中間基板５の部分にグランド層９が形成されている。中間基板５におけるグランド層９の形成は、図２（ｂ）に示すように、最上層のフレキシブルケーブル２の上部と最下層のフレキシブルケーブル２の下部のみである。
【００２３】
このような構成において、図２（ａ）に示すように、コネクタ基板３内において、グランド線７のＤ点とグランド線８のＡ点とが接続されて、グランドＥに接地されている。また、コネクタ基板４内においても、同様に、グランド線７のＦ点とグランド線８のＣ点とが接続され、グランドＥに接地されている。
【００２４】
また、図２（ｂ）に示すように、コネクタ基板３内において、フレキシブルケーブル２の４層分の信号線６の両サイドのグランド線７，８がビア１０によって接続されて、グランドＥに接地されている。さらに、コネクタ基板４内においても、同様に、フレキシブルケーブル２の４層分の信号線６の両サイドのグランド線７，８がビア１０によって接続されて、グランドＥに接地されている。
【００２５】
さらに、この実施形態の信号伝送ケーブル１は、図２（ａ）に示すように、グランド線７，８のほぼ中央部分のＢ点、Ｅ点の付近に中間基板５が設けられてグランド層９が形成されている。このグランド層９は、図２（ｂ）に示すように、４層の信号線６の両サイドのグランド線７，８を上下から挟むように、最上層のグランド線７，８の上部と最下層グランド線７，８の下部に形成されている。
【００２６】
したがって、図２（ｂ）に示すように、中間基板５における最上層のグランド層９と最下層のグランド層９を介して各層のグランド線７，８を接続するためのビア１１を設けることができる。すなわち、この実施形態の信号伝送ケーブル１は、コネクタ基板３内及びコネクタ基板４内において、フレキシブルケーブル２の４層のグランド線７，８をコネクタ基板３のビア１０によって接続することができると共に、フレキシブルケーブル２のほぼ中間位置（Ｂ点、Ｅ点付近の位置）に設けた中間基板５内において、グランド層９と４層のグランド線７，８とをビア１１によって接続することができる。
【００２７】
これによって、コネクタ基板３とコネクタ基板４とを接続する４層のフレキシブルケーブル２のグランド線７，８のグランドインピーダンスを低くすることができるので、グランド線７，８の間に配線されている信号線６の無線特性を良好に維持することが可能となる。なお、多層基板からなる中間基板５の全ての層にグランド層及びビアを設けて、全ての層のグランド層と各フレキシブルケーブル２のグランド線とを一括接続してもよい。
【００２８】
図３は、図１に示すフレキシブルケーブルを折畳型携帯電話に適用したときの概念図である。すなわち、図３は、この実施形態の信号伝送ケーブル１が液晶画面側基板１２とキー側基板１３との間に接続されたときの折畳型携帯電話を示している。図３に示すように、液晶画面側基板１２とキー側基板１３は、液晶画面側基板１２に接続されたコネクタ基板３とキー側基板１３に接続されたコネクタ基板３との中間位置に中間基板５を備えたフレキシブルケーブル２によって接続されている。
【００２９】
図３について、さらに詳しく説明すると、信号伝送ケーブル１は、複数本の信号線とその両サイドの２本のグランド線とで構成されるフレキシブルケーブル２が４層一束で多層に重ねられ、多層のフレキシブルケーブル２の中間部分に中間基板５を介在させた構成となっている。そして、フレキシブルケーブル２は、両端のコネクタ基板３、４を介して折畳型携帯電話の液晶画面側基板１２とキー側基板１３とに接続されている。このとき、折畳型携帯電話を折り畳むときの機構上の制約などから、コネクタ基板４はキー側基板１３の基板端に設けられているが、コネクタ基板３は、液晶画面側基板１２の中間部分に設けられている。
【００３０】
このような場合はフレキシブルケーブル２の実際の長さは長くなるが、液晶画面側基板１２の端部に中間基板５を設けているので、フレキシブルケーブル２におけるグランド線のグランドインピーダンスは、液晶画面側基板１２のコネクタ基板３と中間基板５との間の長さ分の配線インピーダンス、及びキー側基板１３のコネクタ基板４と中間基板５との間の長さ分の配線インピーダンスとなる。すなわち、中間基板５をフレキシブルケーブル２の中央部付近に設けることにより、グランド線のグランドインピーダンスをフレキシブルケーブル２の長さ分の配線インピーダンスの半分にすることができる。その結果、フレキシブルケーブル２の信号線を伝送する制御信号はノイズ輻射の影響を受けにくくなり、結果的に、折畳型携帯電話の無線特性を良好に維持することができる。
【００３１】
すなわち、この実施形態の信号伝送ケーブル１を折畳型携帯電話に用いることにより、図３に示すように、液晶画面側基板１２の端部の中間基板５でフレキシブルケーブル２のグランド接続を行うことができる。しかも、液晶画面側基板１２のコネクタ基板３及びキー側基板１３のコネクタ基板４の位置でフレキシブルケーブル２のグランド接続を行うことができる。その結果、液晶画面側基板１２とキー側基板１３との基板間を電気的に見たフレキシブルケーブル２のグランド線の長さは、見かけ上、２分の１の長さとなる。したがって、フレキシブルケーブル２のグランド線のインピーダンスが２分の１に下がるので、信号線のノイズの輻射が抑えられて、フレキシブルケーブル２における信号線の無線特性の劣化を回避することができる。
【００３２】
さらに、フレキシブルケーブル２の層構成を４層から６層へと増加させ、増加した層をグランド層にすることにより、図２（ｂ）に示すような最上層と最下層だけではなく、Ｂ点とＥ点のグランドも電気的に接続される。このグランド層を液晶画面側基板１２のグランドと接続することで、コネクタ基板３とコネクタ基板４との間のグランドインピーダンスをさらに下げる効果がある。なお、グランド層と液晶画面側基板１２との電気的な導通方法については、ガスケット、導電性ＷＦ、又は金具を用いた中継端子によるグランド接続などが一般的であるが、この限りではない。
【００３３】
以上説明したように、この実施形態によれば、信号伝送ケーブル（つまり、フレキシブルケーブル）の信号線を流れる無線信号の無線特性の劣化を回避してＥＭＣ対策を行うことができる。すなわち、フレキシブルケーブルにおけるグランド線の電気的なグランドインピーダンスを、フレキシブルケーブルの実際の長さに相当する配線インピーダンスより下げることができるため、フレキシブルケーブルを伝送する高速信号やクロック信号の信号線からのノイズの輻射が抑えられる。この結果、フレキシブルケーブルの無線特性の劣化を回避したり、ＥＭＣ対策に効果をもたらすことができる。
【００３４】
また、この実施形態の信号伝送ケーブルの構成によれば、安定した無線・アンテナ特性を確保することができる。すなわち、中間基板に金具等を実装することにより、メイン基板等にパターニングされた安定したグランドラインに対して中間基板のグランド層を金具等で中継して接続することが可能となるため、グランドレベルの変動による特性変化が生じやすい無線信号特性やアンテナ特性に対して、安定した特性を確保することが可能となる。
【実施形態２】
【００３５】
この発明に係る信号伝送ケーブルの実施形態２として、フレキシブルケーブルの中間部分に設けた中間基板に対して電気部品を搭載することができる。すなわち、中間基板は硬質の多層基板によって構成されているので電気部品を搭載することが可能となる。そのため、フレキシブルケーブルの信号線に対してコモンモードチョークなどのノイズ対策素子を実装したり、グランドに接続するための中継端子となる導電体部品、例えば、金具などを搭載することが可能となる。
【００３６】
以上、この発明の実施形態を、図面を参照して詳述してきたが、この発明の具体的に構成は、これらの実施形態に限られるものではなく、この発明の趣旨を逸脱しない範囲の設計の変更等があってもそれらはこの発明に含まれる。例えば、この実施形態では、フレキシブルケーブルを４層構成とした場合について、グランド線のグランドインピーダンスを低下させる手法について説明した。しかし、フレキシブルケーブルは４層に限ることはなく、１層であってもよいし、４層構成よりさらに多い多層構成であっても、前述と同様にグランドインピーダンスを低下させて無線特性の改善を図ることができる。また、この発明は、フレキシブルケーブルに限定されない。
【産業上の利用可能性】
【００３７】
この発明は、グランド線のグランドインピーダンスを低下させて無線信号の耐ノイズ対策を図ることができるので、携帯電話、パソコン、デジタルカメラ、及び各種の無線機器などに有効に利用することができる。
【００３８】
（付記１）
前記信号伝送ケーブルはフレキシブルケーブルであって、そのフレキシブルケーブルの中間位置付近に前記中間基板を設け、その中間基板に形成されたグランド層のビアと前記グランド線とを電気的に接続することを特徴とする、この発明の第２の構成に記載の信号伝送ケーブルのグランド接続方法。
【００３９】
（付記２）
前記フレキシブルケーブルは厚み方向に束ねて多層で構成され、前記中間基板に形成されたグランド層のビアを、多層で構成された前記フレキシブルケーブルのそれぞれのグランド線へ一体的に接続することを特徴とする、この発明の第２の構成、又は付記１に記載の信号伝送ケーブルのグランド接続方法。
【００４０】
（付記３）
前記中間基板は多層基板で構成され、前記グランド層は前記多層基板の１層以上で形成されていることを特徴とする、この発明の第２の構成、付記１又は２に記載の信号伝送ケーブルのグランド接続方法。
【００４１】
（付記４）
前記中間基板は多層基板で構成され、前記グランド層は前記多層基板の全ての層で形成されていることを特徴とする、この発明の第２の構成、付記１、２又は３に記載の信号伝送ケーブルのグランド接続方法。
【００４２】
（付記５）
前記フレキシブルケーブルを、２つの筐体部分を折り畳む折畳型携帯電話、又は、２つの筐体部分をスライドさせるスライド型携帯電話に用いることを特徴とする、この発明の第２の構成、付記１、２、３又は４に記載の信号伝送ケーブルのグランド接続方法。
【符号の説明】
【００４３】
１、２１    信号伝送ケーブル
２、２２    フレキシブルケーブル
３、４、２３、２４    コネクタ基板
５    中間基板
６、２５    信号線
７、８、２６、２７    グランド線
９    グランド層
１０、１１、２８    ピア
１２、３１    液晶画面側基板
１３、３２    キー側基板
【図１】
0005493822.tif 000002
【図２】
0005493822.tif 000003
【図３】
0005493822.tif 000004
【図４】
0005493822.tif 000005
【図５】
0005493822.tif 000006
【図６】
0005493822.tif 000007